【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
記録媒体より読み出した第１のファイルを編集し、その編集結果を第２のファイルとして記録媒体に書き込みを行う編集手段と、
予め設定された書き込み処理の中止条件を満たす場合に前記編集手段による書き込み処理を中止させるとともに、この中止によって記録媒体に残った前記第２のファイルに係るデータをその記録媒体から削除する制御手段と、
を有することを特徴とするデータ編集装置。
【請求項２】
前記編集手段による書き込み処理中における電源電圧を検知する検知手段を更に有し、
前記中止条件は、前記検知手段により検知された電源電圧が第１のしきい値を下回ったこと、とすることを特徴とする請求項１に記載のデータ編集装置。
【請求項３】
前記中止条件は、前記電源電圧が前記第１のしきい値を下回り、かつ、前記第２のファイルの書き込み完了までに要する時間が前記第２のファイルとして書き込まれたデータの削除に要する時間よりも長いこと、とすることを特徴とする請求項２に記載のデータ編集装置。
【請求項４】
前記中止条件は、前記電源電圧が前記第１のしきい値を下回り、かつ、前記第２のファイルに係るデータを削除する旨の指示操作がユーザにより行われたこと、とすることを特徴とする請求項２に記載のデータ編集装置。
【請求項５】
前記制御手段は、前記電源電圧が前記第１のしきい値より低い第２のしきい値をさらに下回ったときは、前記編集手段による書き込み処理を中止させた後、前記第２のファイルに係るデータを削除する代わりに、前記第２のファイルに係るデータを削除するのに必要な情報を含む第３のファイルを生成することを特徴とする請求項２から４までのいずれか１項に記載のデータ編集装置。
【請求項６】
前記第３のファイルに基づいて前記第２のファイルを修復する修復手段を更に有することを特徴とする請求項５に記載のデータ編集装置。
【請求項７】
前記第３のファイルは、前記第１のファイルのファイル名、編集方法、編集対象位置、前記制御手段による書き込み処理の中止時点における前記第１のファイルの読み出し位置、前記第２のファイルのファイル名を、前記第２のファイルに係るデータを削除するのに必要な情報として含み、
前記修復手段は、前記第３のファイルから前記第１のファイルのファイル名を読み出して当該第１のファイルをオープンし、前記第３のファイルから前記編集方法、編集対象位置、前記制御手段による書き込み処理の中止時点における前記第１のファイルの読み出し位置、前記第２のファイルのファイル名、に基づいて、前記編集手段を動作させることを特徴とする請求項６に記載のデータ編集装置。
【請求項８】
前記第１および第２のファイルは動画データを含むことを特徴とする請求項１から７までのいずれか１項に記載のデータ編集装置。
【請求項９】
前記第２のファイルに対応するサムネール画像データを前記記録媒体から検索し、その記録媒体に前記サムネール画像データが存在しない場合に前記第２のファイルを削除する手段を更に有することを特徴とする請求項８に記載のデータ編集装置。
【請求項１０】
請求項８または９に記載のデータ編集装置を有する撮像装置。
【請求項１１】
編集手段が、記録媒体より読み出した第１のファイルを編集し、その編集結果を第２のファイルとして記録媒体に書き込みを行う編集ステップと、
制御手段が、予め設定された書き込み処理の中止条件を満たす場合に前記編集ステップによる書き込み処理を中止させるとともに、この中止によって記録媒体に残った前記第２のファイルに係るデータをその記録媒体から削除する制御ステップと、
を有することを特徴とするデータ編集方法。
【請求項１２】
検知手段が、前記編集ステップによる書き込み処理中における電源電圧を検知する検知ステップを更に有し、
前記中止条件は、前記検知ステップにより検知された電源電圧が第１のしきい値を下回ったこと、とすることを特徴とする請求項１１に記載のデータ編集方法。
【請求項１３】
前記中止条件は、前記電源電圧が前記第１のしきい値を下回り、かつ、前記第２のファイルの書き込み完了までに要する時間が前記第２のファイルとして書き込まれたデータの削除に要する時間よりも長いこと、とすることを特徴とする請求項１２に記載のデータ編集方法。
【請求項１４】
前記中止条件は、前記電源電圧が前記第１のしきい値を下回り、かつ、前記第２のファイルに係るデータを削除する旨の指示操作がユーザにより行われたこと、とすることを特徴とする請求項１２に記載のデータ編集方法。
【請求項１５】
前記制御ステップは、前記電源電圧が前記第１のしきい値より低い第２のしきい値をさらに下回ったときは、前記編集ステップによる書き込み処理を中止させた後、前記第２のファイルに係るデータを削除する代わりに、前記第２のファイルに係るデータを削除するのに必要な情報を含む第３のファイルを生成することを特徴とする請求項１２から１４までのいずれか１項に記載のデータ編集方法。
【請求項１６】
前記第３のファイルに基づいて前記第２のファイルを修復する修復ステップを更に有することを特徴とする請求項１５に記載のデータ編集方法。
【請求項１７】
前記第３のファイルは、前記第１のファイルのファイル名、編集方法、編集対象位置、前記制御ステップによる書き込み処理の中止時点における前記第１のファイルの読み出し位置、前記第２のファイルのファイル名を、前記第２のファイルに係るデータを削除するのに必要な情報として含み、
前記修復ステップは、前記第３のファイルから前記第１のファイルのファイル名を読み出して当該第１のファイルをオープンし、前記第３のファイルから前記編集方法、編集対象位置、前記制御ステップによる書き込み処理の中止時点における前記第１のファイルの読み出し位置、前記第２のファイルのファイル名、に基づいて、前記編集ステップを実行させることを特徴とする請求項１６に記載のデータ編集方法。
【請求項１８】
前記第１および第２のファイルは動画データを含むことを特徴とする請求項１１から１７までのいずれか１項に記載のデータ編集方法。
【請求項１９】
前記第２のファイルに対応するサムネール画像データを前記記録媒体から検索し、その記録媒体に前記サムネール画像データが存在しない場合に前記第２のファイルを削除するステップを更に有することを特徴とする請求項１８に記載のデータ編集方法。
【請求項２０】
請求項１１から１９までのいずれか１項に記載のデータ編集方法をコンピュータに実行させるためのプログラム。
【請求項２１】
請求項２０に記載のプログラムを格納したコンピュータ読み取り可能な記憶媒体。
【手続補正２】
【補正対象書類名】明細書
【補正対象項目名】０００８
【補正方法】変更
【補正の内容】
【０００８】
上記した課題は、本発明のデータ編集装置および方法によって解決される。本発明の一側面に係るデータ編集装置は、記録媒体より読み出した第１のファイルを編集し、その編集結果を第２のファイルとして記録媒体に書き込みを行う編集手段と、予め設定された書き込み処理の中止条件を満たす場合に前記編集手段による書き込み処理を中止させるとともに、この中止によって記録媒体に残った前記第２のファイルに係るデータをその記録媒体から削除する制御手段とを有することを特徴とする。
【手続補正３】
【補正対象書類名】明細書
【補正対象項目名】０００９
【補正方法】変更
【補正の内容】
【０００９】
また、本発明の別の側面に係るデータ編集方法は、編集手段が、記録媒体より読み出した第１のファイルを編集し、その編集結果を第２のファイルとして記録媒体に書き込みを行う編集ステップと、制御手段が、予め設定された書き込み処理の中止条件を満たす場合に前記編集ステップによる書き込み処理を中止させるとともに、この中止によって記録媒体に残った前記第２のファイルに係るデータをその記録媒体から削除する制御ステップとを有することを特徴とする。
【手続補正４】
【補正対象書類名】明細書
【補正対象項目名】００３４
【補正方法】変更
【補正の内容】
【００３４】
６４はシャッタースイッチＳＷ２で、同シャッターボタン３０９の操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。